(57)【要約】  例えば電気ケーブルのような少なくとも１つの細長い部材を、自動車における例えばパネルやパーティションのような第二部材に固定するファスナ形成部材であって、前記ファスナ形成部材は、２つの対面３，４を有する帯と、前記２つの対面のうち一方の面３から突出するフック形状を有するオス部５とで構成され、前記オス部は（オス−メス型係合部が形成されている場合）前記第二部材から突出した、具体的にはループ部のようなメス部、または、（オス−オス型係合部が形成されている場合）前記第二部材から突出し別のオス部と係合するように構成され、前記帯は、前記２つの対面のうち前記オス部が突出する前記一方の面３が前記ファスナ形成部材の外側となるように、螺旋状に巻かれることで、前記帯は、前記少なくとも１つの細長い部材を受容する内部空間を形成するファスナ形成部材を提供する。
2012503157.tif 000002
【特許請求の範囲】
【請求項１】
少なくとも１つの電気ケーブルのような少なくとも１つの細長い部材を、自動車用のパネルやパーティションのような第二部材に固定するファスナ形成部材であって、
２つの対面（３，４）を有する帯（２）と、
前記２つの対面のうち一方の面（３）から突出するフック形状を有するオス部（５）とを備え、
前記オス部は（オス−メス型係合部が形成されている場合）、前記第二部材から突出した、具体的にはループ部であるメス部、または、（オス−オス型係合部が形成されている場合）前記第二部材から突出した別のオス部と係合するように構成され、
前記帯は、前記２つの対面のうち前記オス部が突出する前記一方の面（３）が外側となるように螺旋状に巻かれて、前記少なくとも１つの細長い部材を受容する内部空間を形成したことを特徴とするファスナ形成部材。
【請求項２】
少なくとも１つの電気ケーブルのような少なくとも１つの細長い部材を、自動車におけるパネルやパーティションのような第二部材に固定するファスナ形成部材であって、
２つの対面を有する帯と、
前記２つの対面のうち一方の面から突出するループ形状を有するメス部とを備え、
前記メス部は前記第二部材から突出したオス部と係合するように構成され、
前記帯は、前記２つの対面のうち前記メス部が突出する前記一方の面が外側となるように螺旋状に巻かれて、前記少なくとも１つの細長い部材を受容する内部空間を形成したことを特徴とするファスナ形成部材。
【請求項３】
ポリエチレンまたはポリプロピレン等の熱可塑性材料により形成されていることを特徴とする請求項１又は２に記載の部材。
【請求項４】
熱可塑性材料の第一層と、接着接合、熱融着、あるいは超音波溶接等によって
該第一層に取り付けられ、フック部を有するシート状の第二層とを備えることを特徴とする請求項１又は３に記載の部材。
【請求項５】
熱可塑性材料の第一層と、
編地や織布のようなループ部を有する不織布または織布の層からなる、ループ部を有する生地材とを備え、
該生地材は、三本の糸である経糸、緯糸および、ループそれぞれのための三本のバーを有する織り機または編み機によって形成されていることを特徴とする請求項２に記載の部材。
【請求項６】
熱可塑性材料の第一層と、
編地や織布のようなループ部を有する不織布または織布の層からなる、ループ部を有する生地材とを備え、
該生地材は、三本の糸である経糸、緯糸および、ループそれぞれのための三本のバーを有する織り機または編み機によって形成されていることを特徴とする請求項２に記載の部材。
【請求項７】
フック部を有するシートまたはループ部を有する生地材が、接着接合、あるいは具体的には熱融着や超音波溶接のようなまたは溶接等によって取り付けられた、熱可塑性材料で形成された可撓中空チューブを準備し、結果として得られた組立品を切断して、螺旋状のファスナを形成することで得られることを特徴とする請求項１から６のうちいずれか一項に記載の部材。
【請求項８】
熱可塑性材料で形成されたシートまたは帯を備え、
該シートまたは帯からは、一体的に形成されたフック部が突出し、
該フック部を有する前記シートは押出し加工で形成されていることを特徴とする請求項１に記載の部材。
【請求項９】
少なくとも１つの電気ケーブルのような細長い第一部材と、
該第一部材を固定するための対象となる、パネルやパーティションのような、具体的には平面状の部材である第二部材と、
請求項１から８のうちいずれか一項に記載のファスナ形成部材とを備える組立品であって、
前記第二部材が、前記ファスナ形成部材から突出したメス部またはオス部と係合するオス部またはメス部を有することにより、オス−オス型係合又はオス−メス型係合がなされることを特徴とする組立品。
【請求項１０】
請求項９に記載の組立品を備える自動車。
【発明の詳細な説明】
【技術分野】
【０００１】
本発明は、例えば電気ケーブルのような細長い部材の少なくとも１つを、自動車のルーフ等、例えば自動車におけるパネルやパーティションのような他の部材に固定するファスナ形成部材に関する。また、本発明は、例えば電気ケーブルのような少なくとも１つの細長い第一部材と、例えば自動車におけるパネルやパーティションのような第二部材と、上記ファスナ形成部材とで構成された組立品に関する。
【背景技術】
【０００２】
自動車においては、例えば、電力やデータを伝達するための多数の電気ケーブルが設置され、その数は、自動車用電子制御システムの複雑化に伴い増加している。そのため、複数のケーブルを束ねて保持し、さらにそれらを自動車の壁に固定することを可能とする固定具を、可能な限り簡易な構造で提供することが望ましく、特にケーブルが既に設置済みの場合、固定具をケーブルの一端側から通す必要のない構造が望ましい。
【発明の概要】
【０００３】
本発明は、上記の事情に鑑みてなされたものであり、その目的とするところは、ケーブルが既に設置済みの場合、固定具をケーブルの一端側から通す必要のない構造であって、簡易な構造を有するファスナ形成部材を提供することにある。
【０００４】
本発明の一態様に係るファスナ形成部材は、例えば電気ケーブルのような少なくとも１つの細長い部材を、例えば自動車におけるパネルやパーティションのような第二部材に固定するファスナ形成部材であって、前記ファスナ形成部材は、裏表２つの対面を有する帯と、前記２つの対面のうち一方の面から突出するフック形状を有するオス部とで構成され、前記オス部は（オス−メス型係合部が形成されている場合）前記第二部材から突出した、例えばループ部であるメス部、あるいは（オス−オス型係合部が形成されている場合）前記第二部材から突出した別のオス部と係合するように構成され、前記帯は、前記２つの対面のうち前記オス部が突出する前記一方の面が前記ファスナ形成部材の外側となるように、螺旋状に巻かれることで、前記帯は、前記少なくとも１つの細長い部材を受容する内部空間を形成することを特徴とする。
【０００５】
本発明の他の態様に係るファスナ形成部材は、例えば電気ケーブルのような少なくとも１つの細長い部材を、例えば自動車におけるパネルやパーティションのような第二部材に固定するファスナ形成部材であって、前記ファスナ形成部材は、裏表２つの対面を有する帯と、前記２つの対面のうち一方の面から突出するループ形状を有するメス部とで構成され、前記メス部は前記第二部材から突出したオス部と係合するように構成され、前記帯は、前記２つの対面のうち前記メス部が突出する前記一方の面が前記ファスナ形成部材の外側となるように、螺旋状に巻かれることで、前記帯は、前記少なくとも１つの細長い部材を受容する内部空間を形成することを特徴とする。
【０００６】
このように、被固定対象となる他の部材のメス部またはオス部と係合するオス−メス型係合部のオス部またはメス部を有する螺旋形状のファスナを提供することによって、簡単に使用でき、かつ複数のケーブルをファスナ内に保持でき、それらを簡単に、詳細には取り外し可能に、第二部材に固定することができる固定具を得ることができる。さらに、ファスナの設置に際して、固定具が通常の閉管形状であった場合に必要となる、固定具をケーブルの一端側から通す工程が不要となる。ファスナが螺旋形状を有することにより、ケーブルを固定したい箇所で、ケーブルをファスナに直接挿入することが可能となる。つまり、ケーブルを螺旋形状の２巻き間に挿入した後、ファスナをネジのようにケーブルの周りに巻き付けるだけでよい。
【０００７】
本発明において、「フック部」という用語は、ループ部に引っ掛けることができるフック部分を有し、それにより少なくとも一引掛け方向においてフック部とループ部との間で係合が得られる部材を意味する。また、「フック部」として本出願において記載するこのような「部材」は、例えば、とげ部材、キノコ型フック、両掛けフック、またはその他の類似部材であってもよい。
【０００８】
上記態様においては、前記ファスナ形成部材は、例えばポリエチレンまたはポリプロピレン等の熱可塑性材料により形成されていることとしてもよい。
【０００９】
上記態様においては、前記ファスナ形成部材は、熱可塑性材料の第一層と、接着接合、熱融着、あるいは超音波溶接等によって熱可塑性材料の前記第一層に取り付けられ、かつフック部を有するシート状の第二層とにより構成されていることとしてもよい。
【００１０】
上記態様においては、前記ファスナ形成部材は、熱可塑性材料の第一層と、編地や織布のようなループ部を有する不織布または織布の層からなる、ループ部を有する生地材とで構成され、前記生地材は、具体的には三本の糸である経糸と緯糸とループそれぞれのための三本のバーを有する織り機または編み機によって形成されていることとしてもよい。具体的には、生地材は、第一層に接着接合または溶接（熱融着や超音波溶接等）されていることとしてもよい。
【００１１】
上記態様においては、前記ファスナ形成部材は、熱可塑性材料で形成されたシートまたは帯で構成され、前記シートまたは前記帯からは、フック部が一体的に突出しており、フック部を有する前記シートは具体的には押し出し加工で形成されていることとしてもよい。
【００１２】
上記態様においては、前記ファスナ形成部材は、先ず、フック部を有するシートまたはループ部を有する生地材が、接着接合、あるいは例えば熱融着や超音波溶接のような溶接等によって取り付けられた、熱可塑性材料で形成された可撓中空チューブを作成し、このように製造した可撓中空チューブアッセンブリを切断して、螺旋状のファスナを形成することとしてもよい。
【００１３】
さらに、本発明は、少なくとも１つの電気ケーブルのような細長い第一部材と、前記第一部材を固定する対象となる、例えばパネルやパーティションのような、平面状の部材である第二部材と、上記ファスナ形成部材とで構成された組立品であって、前記第二部材が、前記ファスナ形成部材から突出したメス部またはオス部と係合するオス部またはメス部を有することにより、オス−オス型係合又はオス−メス型係合が得られることを特徴とする組立品を提供する。
【００１４】
さらに、本発明は、上記組立品を備える自動車を提供する。
【図面の簡単な説明】
【００１５】
【図１】本発明の一実施形態に係るファスナ形成部材の斜視図である。
【図２】図１の一実施形態に係るファスナ形成部材を備えた、本発明の組立品の一例を示す図である。
【発明を実施するための形態】
【００１６】
以下、本発明の実施形態の一例を添付図面に基づいて説明する。
【００１７】
図１は本発明の一実施形態に係るファスナ（固定具）１を示す。ファスナ１は、螺旋状に巻かれた帯２によって形成されている。帯２は外面３と内面４を有する。帯２から一体的に突出した多数のフック部５が、外面３から突出している。フック部５は、板状の壁９から突出したループ部６と係合するように構成されている。具体的には、ループ部６は、板９に接着接合または熱融着された、ループ部を有する編地、織布、または不織布によって形成することができる。
【００１８】
ファスナ１は、可撓性の熱可塑性材料で形成された内層８と、熱可塑性材料で形成され、帯２および当該帯２から一体的に突出したフック部５によって構成された外層７とを備える。これらの二層、つまり、外層７と内層８は、接着接合、熱融着、あるいは超音波溶接等によって互いに接合されている。
【００１９】
使用時においては、図２に示すように、複数のケーブル１０がファスナ１内部を通り、フック部５と係合したループ部６によって板９に保持される。
【００２０】
図示省略ではあるが、同様な全体構成を有する他の実施形態においては、フック部を有する層７に代えて、層８に接着接合された、ループ部を有する編地、織布、または不織布を用いることとしてもよい。その場合、ループ部はファスナ形成部材の外面から突出し、また、図１に示すフック部を有するシートに対応した、フック部を有するシートが板９に固定される。このような実施形態では、ファスナによってケーブルが上記同様に板に固定される。
【００２１】
しかし、ファスナから突き出すように形成されたフック部と、板から突き出すように形成されたループ部とを有する構成の実施形態の方が製造上容易であり、編地、織布、または不織布を板９に接着接合するだけで、広い面積での固定を確保できる。また、オス同士、すなわち各フック部同士による自己固定のために、ループ部の代わりに、フック部を設けることも可能である。その場合、板９もループ部の代わりにフック部が設けられ、そのフック部がファスナの面３から突き出たフック部と係合することとなる。
【００２２】
板９は、平面であってもよく、自動車に固定され、詳細にはその一体部分となっている部分でもよい。具体的には、板９はルーフまたはドアパネルであってもよい。
【００２３】
ケーブルは、電力やデータを伝達するように構成されていてもよい。あるいは、水や空気等の流体の搬送用パイプまたは光ファイバーケーブルであってもよい。
【００２４】
ファスナは、その材料の性質として、ある程度の可撓性を有するように厚みが決定され、それにより最終的に螺旋形状をなすように変形可能な構成であることとするが、変形可能であっても、その螺旋形状を性能的に維持できるような十分な剛性を有することとする。具体的には、ファスナは、一本以上のケーブルを支持し、かつそれらのケーブルが壁に固定された状態を維持するのに十分な強度を有することとする。
【００２５】
例えば、自動車産業における好ましい適用例として、帯は、具体的には１．５ｍｍ〜４ｍｍの厚みであることが好ましい。さらに、螺旋のピッチ（螺旋の長手方向における隣同士の２巻き間の間隔）は１０ｍｍ〜３０ｍｍであることが好ましい。そして、フック部は０．３ｍｍ〜１．５ｍｍの高さであることが好ましい。
【００２６】
ファスナの（長手方向沿いの）長さは５０ｍｍ〜２００ｍｍであることが好ましく、ファスナの各巻き部分の直径は１．５ｍｍ〜２０ｍｍであることが好ましい。
【００２７】
米国特許第４０５６５９３号明細書に記載されているように、フック部を有する帯に関しては、その帯が螺旋状に変形される前に、あるいは結果物として得られる積層体が螺旋状に変形される前の段階においてその帯がバッキング層に接合される前に、押し出し加工によっても形成することができる。
【００２８】
ループ部は、二本または三本の糸、つまり経糸及び／又は緯糸とループとを有する従来の編地、あるいはループ部を有する不織布によって構成することができる。このような生地は、具体的にはおむつ留め等の固定具の分野において広く知られている。
【００２９】
フック部はファスナから突出し、その表面において均一に分布され、具体的には１平方センチメートル辺りに所定のフック部が規則正しく配列されている構成とすることができる。
【図１】
2012503157.tif 000003
【図２】
2012503157.tif 000004
【手続補正書】
【提出日】平成23年5月18日(2011.5.18)
【手続補正１】
【補正対象書類名】特許請求の範囲
【補正対象項目名】全文
【補正方法】変更
【補正の内容】
【特許請求の範囲】
【請求項１】
少なくとも１つの細長い部材を第二部材に固定するファスナ形成部材であって、
２つの対面を有する帯と、
前記２つの対面のうち一方の面から突出するフック形状を有するオス部とを備え、
前記オス部は、前記第二部材から突出したメス部、または、前記第二部材から突出した別のオス部と係合するように構成され、
前記帯は、前記２つの対面のうち前記オス部が突出する前記一方の面が外側となるように螺旋状に巻かれて、前記少なくとも１つの細長い部材を受容する内部空間を形成したことを特徴とするファスナ形成部材。
【請求項２】
少なくとも１つの細長い部材を第二部材に固定するファスナ形成部材であって、
２つの対面を有する帯と、
前記２つの対面のうち一方の面から突出するループ形状を有するメス部とを備え、
前記メス部は前記第二部材から突出したオス部と係合するように構成され、
前記帯は、前記２つの対面のうち前記メス部が突出する前記一方の面が外側となるように螺旋状に巻かれて、前記少なくとも１つの細長い部材を受容する内部空間を形成したことを特徴とするファスナ形成部材。
【請求項３】
熱可塑性材料により形成されていることを特徴とする請求項１又は２に記載のファスナ形成部材。
【請求項４】
熱可塑性材料の第一層と、
該第一層に取り付けられ、フック部を有するシート状の第二層とを備えることを特徴とする請求項１又は３に記載のファスナ形成部材。
【請求項５】
熱可塑性材料の第一層と、
ループ部を有する不織布または織布の層からなる生地材とを備え、
該生地材は、三本の糸である経糸、緯糸および、ループそれぞれのための三本のバーを有する織り機または編み機によって形成されていることを特徴とする請求項２に記載のファスナ形成部材。
【請求項６】
フック部を有するシートまたはループ部を有する生地材が、接着接合または溶接によって取り付けられ、熱可塑性材料で形成して得られた可撓中空チューブを切断して、螺旋状のファスナを形成することで得られることを特徴とする請求項１から５のうちいずれか一項に記載のファスナ形成部材。
【請求項７】
熱可塑性材料で形成されたシートまたは帯を備え、
該シートまたは帯からは、一体的に形成されたフック部が突出し、
該フック部を有する前記シートは押出し加工で形成されていることを特徴とする請求項１に記載のファスナ形成部材。
【請求項８】
少なくとも１つの細長い第一部材と、
該第一部材を固定するための平面状の第二部材と、
請求項１から７のうちいずれか一項に記載のファスナ形成部材とを備える組立品であって、
前記第二部材が、前記ファスナ形成部材から突出したメス部またはオス部と係合するオス部またはメス部を有することにより、オス−オス型係合又はオス−メス型係合がなされることを特徴とする組立品。
【請求項９】
請求項８に記載の組立品を備える自動車。
【国際調査報告】
2012503157.tif 000005
2012503157.tif 000006
2012503157.tif 000007
2012503157.tif 000008
2012503157.tif 000009
2012503157.tif 000010